【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
実行可能な複数の機能のそれぞれを１つのワークアイテムとし、前記ワークアイテムを組み合わせた複数のワークフローを実行することが可能な画像形成装置であって、
ワークアイテムに対応した機能を実行するための設定項目を指定して、指定された設定項目を複数のワークアイテムの間で関連付ける設定項目関連付け手段と、
実行可能なワークフローとして予め登録されている複数のワークフローの中から、最初に実行する前工程のワークフローと、前記前工程の実行結果に基づいて実行する後工程のワークフローとを指定することにより、前記前工程のワークフローと前記後工程のワークフローとを関連付けるワークフロー関連付け手段と、
前記前工程のワークフローを構成するワークアイテムの設定項目に対する設定変更を受け付け、前記設定変更の内容を、前記設定項目関連付け手段により関連付けられている後工程のワークフローを構成するワークアイテムの設定項目に反映する設定変更受付手段と、
前記前工程のワークフローの実行結果と、前記設定変更受付手段により反映された前記設定変更の内容と、を含むデータを生成するデータ生成手段と、
前記データ生成手段により生成された前記データに基づき、前記後工程のワークフローを構成するワークアイテムの設定項目に設定変更がされているかを解析する解析手段と、
前記解析手段の解析結果に基づき、前記後工程のワークフローを実行するワークフロー実行手段と、
を備えることを特徴とする画像形成装置。
【請求項２】
前記解析手段の解析結果に基づき、前記後工程のワークフローを構成するワークアイテムの設定項目に設定変更がされていると判定される場合、前記ワークフロー実行手段は、前記設定変更を反映して前記後工程のワークフローを実行することを特徴とする請求項１に記載の画像形成装置。
【請求項３】
前記前工程のワークフローが複数回実行された場合、前記データ生成手段は、前記複数回の実行結果に対応する複数のデータを生成することを特徴とする請求項１に記載の画像形成装置。
【請求項４】
前記前工程のワークフローを複数回実行したことより得られる複数のデータの中から、前記後工程のワークフローの実行に使用する１つのデータを選択するための選択手段を更に有することを特徴とする請求項３に記載の画像形成装置。
【請求項５】
前記設定変更受付手段は、後工程のワークフローの実行に関する設定変更の内容を、更に変更することを許可または禁止するための指定を受け付け、
前記データ生成手段は、前記設定変更受付手段により受け付けられた前記指定の内容を前記データに含め、
前記解析手段は、前記データに含まれている指定の内容を解析し、
前記解析手段の解析結果に基づき、変更が許可されている場合、前記ワークフロー実行手段は、前記後工程での設定変更を受け付けて、前記後工程のワークフローを実行し、
前記解析手段の解析結果に基づき、変更が禁止されている場合、前記ワークフロー実行手段は、前記後工程での設定変更を受け付けずに、前記後工程のワークフローを実行することを特徴とする請求項１に記載の画像形成装置。
【請求項６】
前記設定変更受付手段は、前記後工程のワークフローを構成するワークアイテムの設定項目の設定変更が可能なユーザを特定するためのユーザ情報の指定を受け付け、
前記データ生成手段は、前記設定変更受付手段により受け付けられた前記ユーザ情報を前記データに含め、
前記解析手段は、前記データに含まれているユーザ情報と前記後工程のワークフローを実行するユーザ情報とが一致するか否かを判定し、
前記ユーザ情報が一致する場合に、前記ワークフロー実行手段は、前記後工程での設定変更を受け付けて、前記後工程のワークフローを実行し、
前記ユーザ情報が一致しない場合に、前記ワークフロー実行手段は、前記後工程での設定変更を受け付けずに、前記後工程のワークフローを実行することを特徴とする請求項１に記載の画像形成装置。
【請求項７】
設定項目関連付け手段と、ワークフロー関連付け手段と、設定変更受付手段と、データ生成手段と、解析手段と、ワークフロー実行手段とを備え、実行可能な複数の機能のそれぞれを１つのワークアイテムとし、前記ワークアイテムを組み合わせた複数のワークフローを実行することが可能な画像形成装置の制御方法であって、
前記設定項目関連付け手段が、ワークアイテムに対応した機能を実行するための設定項目を指定して、指定された設定項目を複数のワークアイテムの間で関連付ける設定項目関連付け工程と、
前記ワークフロー関連付け手段が、実行可能なワークフローとして予め登録されている複数のワークフローの中から、最初に実行する前工程のワークフローと、前記前工程の実行結果に基づいて実行する後工程のワークフローとを指定することにより、前記前工程のワークフローと前記後工程のワークフローとを関連付けるワークフロー関連付け工程と、
前記設定変更受付手段が、前記前工程のワークフローを構成するワークアイテムの設定項目に対する設定変更を受け付け、前記設定変更の内容を、前記設定項目関連付け工程により関連付けられている後工程のワークフローを構成するワークアイテムの設定項目に反映する設定変更受付工程と、
前記データ生成手段が、前記前工程のワークフローの実行結果と、前記設定変更受付手段により反映された前記設定変更の内容と、を含むデータを生成するデータ生成工程と、
前記解析手段が、前記データ生成工程により生成された前記データに基づき、前記後工程のワークフローを構成するワークアイテムの設定項目に設定変更がされているかを解析する解析工程と、
前記ワークフロー実行手段が、前記解析工程での解析結果に基づき、前記後工程のワークフローを実行するワークフロー実行工程と、
を有することを特徴とする画像形成装置の制御方法。
【請求項８】
前記解析工程での解析結果に基づき、前記後工程のワークフローを構成するワークアイテムの設定項目に設定変更がされていると判定される場合、前記ワークフロー実行工程は、前記設定変更を反映して前記後工程のワークフローを実行することを特徴とする請求項７に記載の画像形成装置の制御方法。
【請求項９】
前記前工程のワークフローが複数回実行された場合、前記データ生成工程は、前記複数回の実行結果に対応する複数のデータを生成することを特徴とする請求項７に記載の画像形成装置の制御方法。
【請求項１０】
前記画像形成装置は、更に、選択手段を有し、
前記選択手段が、前記前工程のワークフローを複数回実行したことより得られる複数のデータの中から、前記後工程のワークフローの実行に使用する１つのデータを選択するための選択工程を更に有することを特徴とする請求項９に記載の画像形成装置の制御方法。
【請求項１１】
前記設定変更受付工程は、後工程のワークフローの実行に関する設定変更の内容を、更に変更することを許可または禁止するための指定を受け付け、
前記データ生成工程は、前記設定変更受付工程により受け付けられた前記指定の内容を前記データに含め、
前記解析工程は、前記データに含まれている指定の内容を解析し、
前記解析工程の解析結果に基づき、変更が許可されている場合、前記ワークフロー実行工程は、前記後工程での設定変更を受け付けて、前記後工程のワークフローを実行し、
前記解析工程の解析結果に基づき、変更が禁止されている場合、前記ワークフロー実行工程は、前記後工程での設定変更を受け付けずに、前記後工程のワークフローを実行することを特徴とする請求項７に記載の画像形成装置の制御方法。
【請求項１２】
前記設定変更受付工程は、前記後工程のワークフローを構成するワークアイテムの設定項目の設定変更が可能なユーザを特定するためのユーザ情報の指定を受け付け、
前記データ生成工程は、前記設定変更受付手段により受け付けられた前記ユーザ情報を前記データに含め、
前記解析工程は、前記データに含まれているユーザ情報と前記後工程のワークフローを実行するユーザ情報とが一致するか否かを判定し、
前記ユーザ情報が一致する場合に、前記ワークフロー実行工程は、前記後工程での設定変更を受け付けて、前記後工程のワークフローを実行し、
前記ユーザ情報が一致しない場合に、前記ワークフロー実行工程は、前記後工程での設定変更を受け付けずに、前記後工程のワークフローを実行することを特徴とする請求項７に記載の画像形成装置の制御方法。
【請求項１３】
請求項７乃至請求項１２のいずれか１項に記載の画像形成装置の制御方法をコンピュータに実行させるためのプログラム。
【請求項１４】
請求項１３に記載のプログラムを記憶したコンピュータにより読み取り可能な記憶媒体。
【手続補正２】
【補正対象書類名】明細書
【補正対象項目名】００３１
【補正方法】変更
【補正の内容】
【００３１】
上記の目的を達成する本発明にかかる画像形成装置は、実行可能な複数の機能のそれぞれを１つのワークアイテムとし、前記ワークアイテムを組み合わせた複数のワークフローを実行することが可能な画像形成装置であって、
ワークアイテムに対応した機能を実行するための設定項目を指定して、指定された設定項目を複数のワークアイテムの間で関連付ける設定項目関連付け手段と、
実行可能なワークフローとして予め登録されている複数のワークフローの中から、最初に実行する前工程のワークフローと、前記前工程の実行結果に基づいて実行する後工程のワークフローとを指定することにより、前記前工程のワークフローと前記後工程のワークフローとを関連付けるワークフロー関連付け手段と、
前記前工程のワークフローを構成するワークアイテムの設定項目に対する設定変更を受け付け、前記設定変更の内容を、前記設定項目関連付け手段により関連付けられている後工程のワークフローを構成するワークアイテムの設定項目に反映する設定変更受付手段と、
前記前工程のワークフローの実行結果と、前記設定変更受付手段により反映された前記設定変更の内容と、を含むデータを生成するデータ生成手段と、
前記データ生成手段により生成された前記データに基づき、前記後工程のワークフローを構成するワークアイテムの設定項目に設定変更がされているかを解析する解析手段と、
前記解析手段の解析結果に基づき、前記後工程のワークフローを実行するワークフロー実行手段と、を備えることを特徴とする。
【手続補正３】
【補正対象書類名】明細書
【補正対象項目名】００３２
【補正方法】変更
【補正の内容】
【００３２】
あるいは、本発明にかかる画像形成装置の制御方法は、設定項目関連付け手段と、ワークフロー関連付け手段と、設定変更受付手段と、データ生成手段と、解析手段と、ワークフロー実行手段とを備え、実行可能な複数の機能のそれぞれを１つのワークアイテムとし、前記ワークアイテムを組み合わせた複数のワークフローを実行することが可能な画像形成装置の制御方法であって、
前記設定項目関連付け手段が、ワークアイテムに対応した機能を実行するための設定項目を指定して、指定された設定項目を複数のワークアイテムの間で関連付ける設定項目関連付け工程と、
前記ワークフロー関連付け手段が、実行可能なワークフローとして予め登録されている複数のワークフローの中から、最初に実行する前工程のワークフローと、前記前工程の実行結果に基づいて実行する後工程のワークフローとを指定することにより、前記前工程のワークフローと前記後工程のワークフローとを関連付けるワークフロー関連付け工程と、
前記設定変更受付手段が、前記前工程のワークフローを構成するワークアイテムの設定項目に対する設定変更を受け付け、前記設定変更の内容を、前記設定項目関連付け工程により関連付けられている後工程のワークフローを構成するワークアイテムの設定項目に反映する設定変更受付工程と、
前記データ生成手段が、前記前工程のワークフローの実行結果と、前記設定変更受付手段により反映された前記設定変更の内容と、を含むデータを生成するデータ生成工程と、
前記解析手段が、前記データ生成工程により生成された前記データに基づき、前記後工程のワークフローを構成するワークアイテムの設定項目に設定変更がされているかを解析する解析工程と、
前記ワークフロー実行手段が、前記解析工程での解析結果に基づき、前記後工程のワークフローを実行するワークフロー実行工程と、を有することを特徴とする。